(57)【要約】【課題】  先行技術に記載されている欠点を回避できるように冒頭に挙げた形式の光学装置を引き続き形成することを課題とする。【解決手段】  ２つ以上の対物レンズ要素（２１、２４、２７）を有する少なくとも１つの対物レンズ要素（２０）を備える光学装置（１０）、特に望遠鏡装置において、前記対物レンズ要素（２１）の一方が回折光学要素（１５）を有する回折光学要素（１５）のための支持レンズ要素として形成されている光学装置であって、  光学装置（１０）がガリレイシステムまたはケプラーシステムとして形成されており、光学装置（１０）が少なくとも１つの接眼レンズ要素（３１）を備える接眼レンズ要素（３０）を有し、光線が２０度以下の角度で回折光学要素（１５）に入射するように前記回折光学要素が光学装置（１０）の中に配置または形成されており、かつ回折光学要素（１５）が５０μｍ以上、特に１００μｍ以上の最小溝幅ｈを有する光学装置である。【選択図】  図１
2009048195.tif 000002
【特許請求の範囲】
【請求項１】
２つ以上の対物レンズ要素（２１、２４、２７）を有する少なくとも１つの対物レンズ要素（２０）を備える光学装置（１０）、特に望遠鏡装置において、前記対物レンズ要素（２１）の一方が回折光学要素（１５）を有する回折光学要素（１５）のための支持レンズ要素として形成されている光学装置であって、
光学装置（１０）がガリレイシステムまたはケプラーシステムとして形成されており、光学装置（１０）が少なくとも１つの接眼レンズ要素（３１）を備える接眼レンズ要素（３０）を有し、光線が２０度以下の角度で回折光学要素（１５）に入射するように前記回折光学要素が光学装置（１０）の中に配置または形成されており、かつ回折光学要素（１５）が５０μｍ以上、特に１００μｍ以上の最小溝幅ｈを有することを特徴とする光学装置。
【請求項２】
対物レンズ要素（２０）が３つの対物レンズ要素（２１、２４、２７）を有することを特徴とする請求項１記載の光学装置。
【請求項３】
少なくとも１つの対物レンズ要素（２１、２４、２７）の少なくとも１つのレンズ面が非球面として形成されていることを特徴とする請求項１または２記載の光学装置。
【請求項４】
回折光学要素（１５）のための支持レンズ要素として形成された対物レンズ−レンズ要素（２１）および／または回折光学要素のための支持レンズ要素として形成されていない少なくとも１つの対物レンズ要素（２４、２７）が合成樹脂から形成されていることを特徴とする請求項１〜３のいずれか１項に記載の光学装置。
【請求項５】
回折光学要素（１５）がリングシステムとして支持レンズ要素（２１）の支持面（２３）上に配置または形成されていることを特徴とする請求項１〜４のいずれか１項に記載の光学装置。
【請求項６】
回折光学要素（１５）が階段状に形成されていることを特徴とする請求項１〜５のいずれか１項に記載の光学装置。
【請求項７】
回折光学要素（１５）が支持レンズ要素（２１）の支持面（２３）上に配置または形成されており、かつ支持面（２３）が球面の基本形状からなることを特徴とする請求項１〜６のいずれか１項に記載の光学装置。
【請求項８】
回折光学要素（１５）が対物レンズ要素（２０）の内部に配置されていることを特徴とする請求項１〜７のいずれか１項に記載の光学装置。
【請求項９】
少なくとも１つの接眼レンズ要素（３１）が少なくとも２つのレンズ要素からなるキット部材として形成されていることを特徴とする請求項１〜８のいずれか１項に記載の光学装置。
【請求項１０】
少なくとも１つの接眼レンズ要素（３１）が可変焦点距離を有するレンズ要素として形成されていることを特徴とする請求項１〜９のいずれか１項に記載の光学装置。
【請求項１１】
光学装置が拡大鏡装置、または双眼鏡装置、または望遠鏡装置、または円環面を有する液体レンズとして形成されていることを特徴とする請求項１〜１０のいずれか１項に記載の光学装置。
【請求項１２】
特に拡大眼鏡における拡大鏡装置として、または双眼鏡として、または望遠鏡として、または円環面を有する液体レンズとしての請求項１〜１１のいずれか１項に記載の光学装置（１０）の使用。
【発明の詳細な説明】
【技術分野】
【０００１】
本発明は、少なくとも１つの対物レンズ要素を備える光学装置、特に望遠鏡装置において、前記対物レンズ要素が２つ以上の対物レンズ要素を有する光学装置に関する。
【背景技術】
【０００２】
この種の光学装置は、たとえばいわゆるガリレイシステムとすることができる。
【０００３】
ガリレイシステムは、たとえば短い望遠鏡の製造に適している。眼がこのようなガリレイ望遠鏡を通して見るとき、眼は直立像および左右整合像を見る。その際に両眼に対して２つのガリレイ望遠鏡を配列することが通例である。このようなガリレイ望遠鏡が双眼鏡として使用される場合、たとえばオペラグラス等々の場合と同様に、物体面は無限遠にまたは前面レンズから少なくとも遠く離れている（典型的に１０メートル以上）。この場合は「ガリレイ双眼鏡」と呼ばれる。しかし物体面をガリレイ望遠鏡の前面レンズへより密接して近づけることを好適とすることもでき、その結果、この間隔はたとえば２０ｃｍおよび１００ｃｍの間になる。それによって大きい物体間隔をもつ一種の拡大鏡が得られる。この場合は「ガリレイ拡大鏡」、たとえば「ガリレイ拡大眼鏡」と呼ばれる。ガリレイ拡大眼鏡は、しばしば拡大眼鏡として視力障害の人が使用する。しかしまたガリレイ拡大眼鏡は専門的にも、たとえば歯科医師、歯科医師助手、精密機械技術者、宝石業者等々によっても使用されている。
【０００４】
ガリレイシステムは、一般に正の屈折率を有する対物レンズ要素ならびに負の屈折率を有する接眼レンズ要素から構成される。この場合、対物レンズも接眼レンズも１つ以上のレンズ要素から構成されていてもよい。対物レンズの直径は、接眼レンズの直径よりも大きく、好ましくは明らかにより大きくなり、その結果、対物レンズのレンズ重量は接眼レンズの重量よりも明らかに大きくなる。
【０００５】
ガリレイシステム、たとえばガリレイ望遠鏡を快適に利用できるようにするため、少ない重量、小さい構造長および小さすぎない視野が重要である。重量および構造長は、これらが大抵頭部で支持され、そのためしばしば一種の眼鏡フレームに取り付けられるので、特に拡大眼鏡において非常に大きい役割を果たしている。
【０００６】
すでに長年にわたってますます新規のガリレイ望遠鏡の変形体が開発されている。ガリレイ望遠鏡の１つの重要なデザインパラメータは倍率である。大雑把な原則として、ガリレイ望遠鏡においてレンズの個数が倍率と共に増加すると仮定できる。特許文献１に、たとえば３個のレンズを有するガリレイシステムが提案されている。特許文献２に、すでに５個のレンズを含むより高い倍率を有するガリレイシステムが提示されている。
【０００７】
特許文献３に、増大した焦点深度が達成される光学装置が記載されている。そのために、たとえば回折光学要素（ ein diffraktives optisches Element ）としてもよい焦点深度を増大するための装置が設けられている。この焦点深度のための装置は、対物レンズ要素と接眼レンズ要素との間に配置されている。この公知の解決策に使用されている回折光学要素は全く特別の用途に使用される。この場合は色結像誤差（chromatischer Abbildungsfehler ）の補正ではなく、複数の焦点を有する光学要素の製造である。これは原理的に、このような要素によって光を同時に様々な回折構造（Beugungsordnungen ）で回折できるために回折光学要素で可能であり、これが様々な焦点を生ぜしめる。
【０００８】
しかしながらガリレイ拡大眼鏡の場合、前記効果は望ましくない。ここで、ガリレイ双眼鏡と同様に、最も重要な品質特徴は色倍率差（ der chromatischen Vergroetzerngsdifferenz ）の補正である。これは一般に屈折率の波長依存性によって発生する結像誤差（Abbildungsfehler ）である。ガリレイ双眼鏡およびガリレイ拡大鏡は通常可視スペクトルで使用されるので、これは広帯域光学系である。色倍率差が良く補正されない場合、そこで妨害的に知覚される色縁が発生する。従ってこれは各波長に通常何か別の結像尺度（Abbildungsmatzstab ）が含まれることに由来し、その結果、検出器上に発生する像がそれぞれの色に応じて多少異なる大きさを有する。この効果が色縁として知覚される。このような色縁は非常に妨げとなり、かつ使用者は非常に早く気がつく。特にガリレイシステムを専門的に使用する場合、このような色縁は回避されるべきである。
【０００９】
特許文献４に、望遠眼鏡または拡大眼鏡用の光学系が記載されており、この光学系は一体の対物レンズを有する。この場合、接眼レンズに対向する対物レンズの表面は回折構造を有する。それによって、すでに色倍率差を制限された範囲で補正することが可能になる。
【００１０】
【特許文献１】米国特許第５，４６３，５００Ｂ号明細書
【特許文献２】米国特許第５，７９０，３２３号
【特許文献３】ドイツ国特許出願公開第１０２００５０３６４８６Ａ１号明細書
【特許文献４】ドイツ国実用新案第２９８２３０７６Ｕ１号
【発明の開示】
【発明が解決しようとする課題】
【００１１】
上記先行技術から出発して本発明の基礎に置く課題は、先行技術に記載されている欠点を回避できるように冒頭に挙げた形式の光学装置を引き続き形成することである。特に、色倍率差の補正がドイツ国実用新案第２９８２３０７６号に記載された解決策に関して引き続き改善できるような光学装置が作られるべきである。
【課題を解決するための手段】
【００１２】
この課題は、独立特許請求の範囲第１項に記載の特徴を有する光学装置によって解決される。この種の光学装置の特別の使用は、特許請求の範囲第１２項に記載されている。本発明のその他の特徴および詳細は、従属請求項、明細書ならびに図面から明らかである。
【００１３】
光学装置、特に望遠鏡装置は、本発明により２つ以上の対物レンズ要素を有する少なくとも１つの対物レンズ要素を備えて提供され、前記対物レンズ要素の１つは回折光学要素を有する回折光学要素のための支持レンズ要素として形成されている。前記光学装置は、該光学装置がガリレイシステムまたはケプラーシステムとして形成されており、該光学装置が少なくとも１つの接眼レンズ要素を備える接眼レンズ要素を有し、光線が２０度以下の角度で回折光学要素に入射するように前記回折光学要素が光学装置の中に配置または形成されており、かつ回折光学要素が５０μｍ以上、特に１００μｍ以上の最小溝幅ｈを有することを特徴とする。
【００１４】
前記光学装置の一般的な実施態様において、２つ以上の対物レンズ要素を有する少なくとも１つの対物レンズ要素を備える光学装置、特に望遠鏡装置も提供される。この光学装置は、対物レンズ要素の１つが回折光学要素を有する回折光学要素のための支持レンズ要素として形成されていることを特徴とする。
【００１５】
本発明は、基本的に光学装置の特別のタイプまたは光学装置の機能性に制限されていない。しかしながら特に望遠鏡装置である場合でも、本発明はこの点に関しても特別の望遠鏡タイプに制限されていない。幾つかの有利な、但し排他的ではない光学装置の実施例を後述の明細書でより詳しく説明する。
【００１６】
光学装置は、好ましくはガリレイタイプの装置として、すなわちガリレイシステムとして形成されていてもよい。ガリレイシステムは、基本的に正の屈折率を有する対物レンズ要素と、負の屈折率を有する接眼レンズ要素とから構成される。その際に対物レンズも接眼レンズも１つ以上のレンズからなることができる。対物レンズの直径は通常接眼レンズの直径よりも明らかに大きい。ガリレイシステム自体は、すでに以前から公知であり、この分野で活動する当業者に良く知られている。
【００１７】
別の実施態様において、光学装置がケプラーシステムとして形成されていることも考慮してもよい。ケプラーシステムは、一般に凸レンズ対物レンズと凸レンズ接眼レンズとを有するレンズ望遠鏡の形態の望遠鏡である。ケプラーシステム自体は、すでに以前から公知であり、この分野で活動する当業者に良く知られている。ケプラーシステムはしばしば天体望遠鏡として使用される。しかしまたケプラーシステムは、たとえば適当なプリズムを備える倒立像のための好適な装置により地上の双眼鏡としても使用される。
【００１８】
別の実施態様において、光学装置が１つの接眼レンズ要素を有することを考慮してもよい。この接眼レンズ要素は、さらに少なくとも１つの接眼レンズ要素を有する。本発明は、この場合も接眼レンズ要素の一定数にも特別の形態にも制限されていない。後述の中で幾つかの有利な、但し排他的ではない好適な接眼レンズ要素の実施例を説明する。
【００１９】
光学装置は、基本的な特徴として少なくとも１つの対物レンズ要素を有する。さらに、この対物レンズ要素は２つ以上の対物レンズ要素を有する。もちろん本発明は、この場合も一定数の対物レンズ要素に制限されていない。
【００２０】
対物レンズ要素の１つは、回折光学要素のための支持レンズ要素として形成されている。この支持レンズ要素は１つの回折光学要素も有する。ここで「有する」とは、回折光学要素が支持レンズ要素の上もしくは横に配置されていることである。しかしまた「有する」とは、回折光学要素が支持レンズ要素の上もしくは横または中に形成されていることを意味してもよい。もちろんこの点に関する組合せも考えられる。支持レンズ要素は、好ましくは少なくとも１つの支持面を有し、前記支持面の上／横に回折光学要素が配置されており、もしくは前記支持面の上／横／中に回折光学要素が形成されている。回折光学要素の配置もしくは該回折光学要素の支持レンズ要素の上／横／中への形成は、ここで該回折光学要素の実施態様に従って生じ、その結果、本発明はこの点に関して回折光学要素の実施態様に関するものと同様に何ら制限を受けていない。幾つかの有利な、但し排他的ではないその実施例は後述する本明細書の中でより詳しく説明する。
【００２１】
回折光学要素は一般に光学要素であり、たとえば構造からなる、たとえば光を規定された方法で変調および変換できる微細構造からなる（必要であれば複雑な）パターンである。回折光学要素は、たとえば前記構造での光回折によって光学的に作用する機能を実現する構造を具備した光学面としてもよい。
【００２２】
たとえば回折光学要素のための支持面が平面として形成されており、その結果、回折光学要素が一平面上にあることを考慮してもよい。もちろん回折光学要素は湾曲した面または少なくとも領域ごとに湾曲した面上に置かれてもよい。
【００２３】
対物レンズ要素は、本発明により１つの回折光学要素を有する。回折光学要素は一定の光量を常に望ましくない回折構造に偏向する性質を有する。これは二重像またはコントラスト減少をもたらす。従って光学系内にただ１つの回折光学要素のみを使用するか、複数の回折光学要素を使用しないことが有利である。従って複数の回折光学要素による解決策は不利と見なせる。
【００２４】
本発明に係る光学装置に使用される回折光学要素は、好ましくは可能な限り全ての光が有効位数へ偏向される方法で形成されている。可能な限り少ない光が別の回折構造で偏向されるべきである。
【００２５】
好ましくは、光線が２０度以下の角度で回折光学要素に入射するように前記回折光学要素が光学装置の中に配置または形成されていることが考慮されている。光線は、好ましくは１０度以下の角度で回折光学要素に入射する。光線は、特に好ましくは近似的に垂直に回折光学要素に入射する。光線が可能な限り垂直に回折光学要素の支持面に入射する場合が有利である。すなわち回折光学要素の支持面への入射角度が小さくなるほど、望ましくない回折構造での虚光（Falschlicht ）がより少なく発生し得る。
【００２６】
回折光学要素は、好ましくは５０μｍ以上、有利には１００μｍ以上の最小溝幅ｈを有する。回折光学要素の最小溝幅ｈが小さくなりすぎない場合が有利である。５０μｍ以上の最小溝幅ｈが好適であり、１００μｍ以上の最小溝幅ｈが有利である。すなわち最小溝幅ｈが小さくなるほど、回折光学要素のエッジがレンズの光軸と平行に延伸しない場合、さらに多くの虚光が望ましくない回折構造で発生する。合成樹脂製の回折光学要素の製造誤差のために、回折光学要素は溝幅が大きくなるほどさらに少ない光を望ましくない回折構造で偏向する。たとえば溝幅が回折光学要素の周縁部に向かって減少する場合が発生し得る。このような場合は最小溝幅が回折光学要素の周縁部領域にある。
【００２７】
最も簡単な場合、対物レンズ要素は２つの対物レンズ要素を有し、前記対物レンズ要素の一方は回折光学要素のための支持レンズ要素として形成されている。しかしながら好ましくは、対物レンズ要素が２つ以上の対物レンズ要素を有し、この場合も対物レンズ要素の一方が回折光学要素のための支持レンズ要素として形成されることを考慮してもよい。対物レンズ要素は、好ましくは３つの対物レンズ要素を有してもよい。
【００２８】
個々の対物レンズ要素は、たとえば個別レンズとして形成してもよい。この場合は対物レンズ要素の少なくとも一方が１つの回折光学要素を有する。しかしながら対物レンズ要素の少なくとも一方をキット部材（Kittglied ）として形成することも可能であり、前記キット部材は少なくとも２つのレンズ要素からなる。同様に対物レンズ要素の２つ以上の対物レンズ要素がただ１つのキット部材の形態で形成された態様も考えられる。このような場合、２つ以上の対物レンズ要素がキット部材の個々のレンズ要素を形成する。対物レンズ要素が３つ以上の対物レンズ要素を有する場合、少なくとも２つの対物レンズ要素がキット部材として形成され、かつ少なくとももう１つの対物レンズ要素が個別レンズとして形成されることを考慮してもよい。
【００２９】
少なくとも１つの対物レンズ要素がキット部材として前記形態で形成されている場合、少なくとも１つの回折光学要素は、たとえばキット部材の外面の１つの上に形成／配置されていてもよい。この場合、回折光学要素はキット部材の表面の一方の上／横にある。
【００３０】
択一的または付加的に、少なくとも１つの回折光学要素がキット部材の内部に設けられたレンズ面の１つの上に形成／配置されていることを考慮してもよい。この場合、回折光学要素はキット部材のレンズ内面の上／横にあり、それによってキット部材の中に「埋め込まれ」ている。この種の回折光学要素は、たとえば米国特許第５，７３４，５０２号または欧州特許第０９６５８６４Ａ２号明細書に記載されており、それらの開示内容はその限りで本発明の明細書の中に併せて含まれる。
【００３１】
本発明に従って、特に次の長所を有する光学装置が提供される。以下さらに詳しく記載するように、好ましくは少なくとも部分的に合成樹脂製としてもよいレンズ要素の好適な選択により少ない重量を有する光学装置を実現することができる。これは、たとえば光学装置が頭部に支持される場合に有利である。さらに光学装置は、特に合成樹脂部品が使用される場合、コスト的に有利に製造することもできる。この種の合成樹脂部品は、たとえば射出成形法によってコスト的に有利に製造できる。
【００３２】
最後に、前記光学装置によって良好な補正状態を（特に少ないレンズ数で）達成することができる。これは、対物レンズ要素が回折光学要素を備える対物レンズ要素に加えて（すでに上記ドイツ国実用新案第２９８２３０７６Ｕ１号に開示されているように）少なくとも１つの別の対物レンズ要素を有することによっても達成される。それによって、特に色倍率差の補正を引き続き改善することができる。対物レンズ要素が３つの対物レンズ要素を有する場合、特に有利である。本発明は、もちろん対物レンズ要素の一定数および態様に制限されていない。幾つかの有利な、但し排他的ではない実施例は、後述する本明細書の中でより詳しく説明する。
【００３３】
好ましくは、回折光学要素のための支持要素として形成されていない少なくとも１つの対物レンズ要素は、屈折レンズ要素として形成されてもよい。レンズ要素もしくはレンズ面は、光線の結像が専ら屈折の法則に基づく場合に屈折性に機能する。従って回折光学要素は屈折性に機能しない。通常「慣用の」凸レンズまたは凹レンズは屈折性に機能するレンズである。屈折レンズ要素の使用は、補正のさらなる改善、特に好ましくはレンズ数が少ない場合さらに改善された色倍率差の補正を生ぜしめる。好ましくは、光学装置の対物レンズ要素の中に１つの回折光学要素を備えるレンズ要素（支持レンズ要素）が使用され、かつ対物レンズ要素（必要であれば以下さらに詳しく説明するもう１つの接眼レンズ要素）のその他全ての光学要素が屈折性であることを考慮してもよい。
【００３４】
好ましくは、少なくとも１つの対物レンズ要素の少なくとも１つのレンズ面が非球面として形成されることが考慮されている。その際に非球面の位置は、基本的に対物レンズ要素内のあらゆる場所としてもよい。たとえば非球面は、回折光学要素を備えるレンズ面への後続面であってもよい。もちろん回折光学要素自体の支持面が非球面であることも考えられる。２つ以上の非球面を設けかつ使用してもよい。
【００３５】
別の実施態様において、好ましくは回折光学要素のための支持レンズ要素として形成された対物レンズ要素および／または回折光学要素のための支持レンズ要素として形成されていない少なくとも１つの対物レンズ要素が合成樹脂から形成されていることを考慮している。合成樹脂から形成されないようなレンズ要素は、好ましくはガラスから形成してもよい。好ましくは、回折光学要素の支持レンズ要素も、少なくとも１つの別の対物レンズ要素も、合成樹脂からなることが考慮されている。合成樹脂レンズがより多く使用できるほど、達成できる光学装置の重量節約がさらに大きくなる。
【００３６】
好ましい一実施態様において、対物レンズ要素が２つの合成樹脂レンズ要素と、１つのガラスレンズ要素とからなることを考慮してもよい。任意選択により設ける光学装置の接眼レンズ要素は合成樹脂製またはガラス製としてもよい。しかしながら、レンズの交換によって光学装置、たとえばガリレイ拡大眼鏡を種々の物体間隔（Objektabstaende ）に適合し、倍率を一定に保つことも可能である。それによってコスト的に有利に種々の物体間隔に対して光学装置を製造することができる。しかしまた所望の物体間隔に適合するために対物レンズと接眼レンズとの間の間隔を変化させることができ、その結果、このレンズ要素を用いて、たとえば種々の物体間隔をもつガリレイ望遠鏡を作ることができる。
【００３７】
本発明は、レンズ要素のための特別の材料の使用に制限されていない。幾つかの有利な、但し排他的ではない好適な材料の実施例は、実施例との関連性において引き続き以下に記載する。
【００３８】
好ましくは、ガラスレンズが対物レンズ内で、たとえば製造者ＧＥプラスティクスの材料ウルテムからなる合成樹脂レンズで代用されるように、ガラスレンズ要素が対物レンズ要素内で変更されることを考慮してもよい。このようにさらなる重量削減が達成される。つまり前記システムの最も重いガラスレンズはそれによって合成樹脂に置換される。ウルテムレンズ（Ultem-Linse ）はゼオネックスレンズ（ Zeonex-Linse ）でもキット化することができ、これが簡素化されたフレーム技術、より大きい面公差、より少ないコーティング等々の別の長所となる。
【００３９】
すでに上述したように、回折光学要素は様々な方法で形成することができ、そのため本発明はこの点に関して具体的な実施態様に制限されていない。以下幾つかの有利な、但し排他的ではない回折光学要素の態様を説明する。
【００４０】
たとえば回折光学要素は空気との境界面のレンズ材料内でスカラー理論に従ってたとえばλ≒５５０ｎｍの緑色で最大回折効率に達し、他方、回折効率がスペクトルの青色および赤色縁で約８０％下がる表面レリーフからなることができる。従って各回折光学要素は二重像の発生およびコントラスト損失を生じる望ましくない回折構造から虚光を生じる原因になる。その際に１つ以上の回折光学要素の使用が分かれ目である。
【００４１】
たとえば、回折光学要素がリングシステムとして支持レンズ要素の支持面上に配置または形成されていることを考慮してもよい。支持レンズ要素はその際に合成樹脂製またはガラス製としてもよい。支持レンズ要素用の材料として、たとえば低いガラス転移温度Ｔｇを有するプレスガラスを使用してもよく、その結果、支持レンズ要素は回折光学要素を含めて輝度圧縮することができる。たとえば回折光学要素が合成樹脂リングシステムとしてガラスレンズの表面上に模写されることを考慮してもよい。
【００４２】
回折光学要素は、好ましくは階段状に形成してもよい。これは、回折光学要素がこのような場合に階段状の延伸部を有することを意味する。
【００４３】
従って光学装置たとえば拡大眼鏡の対物レンズ要素は、色補正のための回折光学要素のほかに、さらにたとえばＳＮＰＨ２からなり、かつ色補正の一部を屈折性に実行する特に低いアッベ数ηd＝１８．９を有するガラス凹レンズを有してもよい。回折光学要素は、その場合好ましくは約１１０μｍの最小溝幅ｈを有する。この最小溝幅ｈは従来公知の解決策の場合よりも大きくなる。
【００４４】
回折光学要素は、好ましくは支持レンズ要素の支持面上に配置または形成されていてもよく、支持面は球面の基本形状からなる。これは、好ましくは重ね合わされた回折光学要素を有する球面基本形状からなる、いわゆるシネマ型（
Kinoform ）であってもよい。もちろん回折光学要素が非球面の基本形状の上にあることも考えられる。
【００４５】
回折光学要素は、好ましくは対物レンズ要素の内部に配置してもよい。回折面が光学装置の内部にあり、かつ前面にない場合が有利である。その理由は、汚れが回折光学要素の中に沈着できず、そのためシステムを容易に洗浄できることである。
【００４６】
たとえば上述のような少なくとも１つの接眼レンズ要素を少なくとも２つのレンズ要素からなるキット部材として形成してもよい。色倍率差は、たとえば接眼レンズが２つのガラスレンズからなるキット部材で代用される場合さらに良く補正することができる。しかしまた、前記キット部材は２つの異なる合成樹脂、たとえばゼオネックスおよびポリカーボネートから構成してもよい。
【００４７】
別の実施態様において、少なくとも１つの接眼レンズ要素は可変焦点距離を有するレンズ要素として形成してもよい。接眼レンズの中に、たとえばその焦点距離を電気的に、またはその他の方法で、たとえば液体レンズ等の形態で変化させることができる可変レンズを使用してもよい。可変焦点距離を有するレンズ自体は、すでに以前から知られている。この種のレンズによって個別的非正視を補償することができ、さらに物体距離を機械的可動部分なしに調整可能にすることもできる。円柱レンズである液体レンズを取ると、提案された光学装置、たとえば特殊眼鏡の使用者の乱視を補正することもできる。また可変レンズ要素は可変円柱レンズの形態で形成してもよい。その場合は、たとえば乱視をもつ眼鏡着用者は、特にこれが拡大眼鏡である場合、光学装置を良く使用できる。
【００４８】
たとえばガリレイシステムまたはケプラーシステムとして形成してもよい本発明による光学装置は、好ましくは拡大鏡装置、または双眼鏡装置、または望遠鏡装置、または円環面を有する液体レンズとして形成してもよい。本発明は、その際にもちろん前記態様に制限されていない。ガリレイ望遠鏡の好適な使用は、たとえば廉価な夜間用双眼鏡（ガリレイシステムが大きい瞳出口（Austrittpupille ）を有する）、顕微鏡たとえば手術用顕微鏡のガリレイシステム等々である。拡大鏡装置は、たとえば歯科医師、歯科医師助手、精密機械技術者等が使用できる、たとえば拡大眼鏡の形態で実現することができる。
【００４９】
本発明に係る光学装置は、好ましくは特に拡大眼鏡の拡大鏡装置として、または双眼鏡として、または望遠鏡として、または円環面を有する液体レンズとして使用してもよい。
【００５０】
本発明による光学装置は、好ましくは回折光学要素を有するガリレイシステムまたはケプラーシステムとして形成されていてもよい。
【００５１】
回折光学要素においてスカラー回折効率は赤色および青色光に対して約８０％の値に下がり、その結果、スペクトル周縁部で望ましくない回折構造から虚光が発生し、この虚光がコントラスト低下または有色二重像の発生をもたらす。回折光学要素の構造を変化させ、その際に種々の互いに正確に調整された材料を使用すると、回折効率を全波長帯にわたって明らかに上昇させることができる。この方式は、たとえば米国特許第５，７３４，５０２号または欧州特許第０９６５８６４Ａ２号に記載されており、これらの特許の開示内容はその限りで本発明の明細書に併せて含まれる。
【００５２】
本発明は、以下、添付の図面を参照して幾つかの実施例を利用しより詳しく説明する。
【発明を実施するための最良の形態】
【００５３】
図１による光学装置１０はガリレイシステムの形態で構成されており、かつ光軸１１に沿って配置された１つの対物レンズ要素２０と、１つの接眼レンズ要素３０とからなる。光学装置１０は、たとえば拡大鏡装置として形成してもよく、かつこのような拡大眼鏡の構成要素としてもよい。
【００５４】
接眼レンズ要素３０は、図示した実施例において２つのレンズ面３２、３３を有する接眼レンズ要素３１からなる。接眼レンズ要素３１は、たとえばガラスから製造してもよい。その際に好ましくは色誤差を最小限にするために可能な限り小さいアッベ数を有するガラスが使用される。しかし接眼レンズ要素３１は合成樹脂製としてもよい。
【００５５】
対物レンズ要素２０は図示した実施例において対物レンズ要素２１、２４、２７からなる。対物レンズ要素２１は、支持レンズ要素２１の支持面２３上に配置または形成された回折光学要素１５のための支持レンズ要素である。図示した実施例において、回折光学要素１５は対物レンズ要素２０の内部に向けられた平面上にあり、その前面２２上にはない。支持レンズ要素２１は、好ましくは合成樹脂から形成されている。これは図示した実施例において対物レンズ要素２０の前面レンズである。
【００５６】
さらに対物レンズ要素２０は、それぞれレンズ面２５、２６（レンズ要素２４）もしくは２８、２９（レンズ要素２７）を使用する２つの別の対物レンズ要素２４、２７を有する。前記レンズ要素２４、２７の少なくとも一方は合成樹脂から製造される。他方のレンズ要素はこの場合ガラスから製造してもよい。もちろん対物レンズ要素２０の全てのレンズ要素２１、２４、２７が合成樹脂からなることも考えられる。
【００５７】
図示した実施例において左から見てレンズ面２２、２３、２５、２６、２８、２９を有する第１の３つのレンズ２１、２４、２７は対物レンズ２０であり、レンズ面３２および３３を有するレンズ３１は接眼レンズである。物体はレンズ面２２の左側にあり、観察者の眼はレンズ面３３の右側にある。レンズ面２３は回折光学要素１５の支持面である。レンズ面２５は非球面である。レンズ面２２からレンズ面２６までの第１の両方のレンズ２１、２４のレンズ材料は合成樹脂である。
【００５８】
図２に、より大きい細部で図示した回折光学要素１５のための支持レンズ要素である対物レンズ要素２１の断面図が示されている。回折光学要素１５はレンズ要素２１のレンズ面２３上に形成されており、その結果、レンズ面２３が回折光学要素１５のための支持面になる。図２の中で、回折光学要素１５が可能な限り良く見えるようにアスペクト比を変化させたことに注意されたい。実際上、溝深さｄは典型的に溝幅ｈよりも明らかに小さくなる。図２で回折光学要素１５は一平面上にある。もちろん回折光学要素１５は湾曲面上にあってもよい。図２に示した構造は「シネマ型」とも呼ばれる。
【００５９】
この構造はもちろん「２進化 （ binaerisiert）」することもできる。その場合は、階段状の延伸部を有する回折光学要素１５が得られる。図３に、この点に関して３つの異なる実施態様が示されており、そこでそれぞれ１つの階段延伸部が回折光学要素１５のそれぞれ２つのリングに対して示されている。
【００６０】
以下、前記光学装置１０をベースとする様々な実施例が記載されており、それぞれ異なる物体間隔が選択されている。
【００６１】
実施例１：物体間隔３５１ｍｍ
この実施例に、物体と前面レンズ２１との間の物体間隔が３５１ｍｍのガリレイ拡大眼鏡が記載されている。このシステムは、その際に虚像が観察者の約１ｍ前にあると思われるように設計されている。しかし同様にこの虚像は無限大に置いてもよい。この図は、その構造が表１に記載されている本発明に係るガリレイ望遠鏡のレンズ断面を示す。
【００６２】
表１の中で、後続の表２および３と同様に、それぞれ面番号１はレンズ面２２に、面番号２はレンズ面２３に、面番号３はレンズ面２５に、面番号４はレンズ面２６に、面番号５はレンズ面２８に、面番号６はレンズ面２９に、面番号７はレンズ面３２に、および面番号８はレンズ面２３に相当する。
【００６３】
【表１】
2009048195.tif 000003
【００６４】
同時に対物レンズ要素２０の前面レンズも形成する支持レンズ要素２１の支持面であるレンズ面２３（面番号２）上に回折光学要素１５がある。これは重ね合わせた回折光学要素を有する球面基本形状からなる、いわゆるシネマ型である。前記面のｚ軸はゼオネックスＥ４８Ｒから離して示す。この面は回転対称であり、それによって次式１により球面成分Ｚsph（ｈ）と回折光学要素（ＤＯＥ）の成分Ｚdoe（ｈ）とから構成される矢印高Ｚges（ｈ）によって記述することができる。
【００６５】
【数１】
2009048195.tif 000004
【００６６】
球面成分Ｚsph（ｈ）はＲ＝−４５３．４９０９４５ｍｍの曲率半径を有する球面に相当する。ＤＯＥ成分Ｚdoe（ｈ）は次式２から計算される。
【００６７】
【数２】
2009048195.tif 000005
【００６８】
ガリレイ拡大眼鏡の中に、可能な限り全ての光がプラスまたはマイナス１の有効位数で偏向される回折光学要素１５（ＤＯＥ）を有してもよい。可能な限り少ない光が別の回折構造で偏向されるべきである。そのためＤＯＥ深度ｄは前記式２に従って表示されており、そこから可能な限り多くの光が値１をもつ有効位数へ偏向されることが明らかになる。
【００６９】
前記式２中、ＩＮＴ（ｘ）はｘの整数成分を表し、たとえばＩＮＴ（５．８）＝５である。定数は以下の値を有する。
【００７０】
【数３】
2009048195.tif 000006
【００７１】
回折光学要素１５の溝幅はレンズ周縁部に向かって減少し、そこで約１１０μｍになる。レンズ要素２４のレンズ面２５（面番号３）は、その矢印高Ｚasphを次式３に従って半径ｈの関数として記述できる非球面である。
【００７２】
【数４】
2009048195.tif 000007
【００７３】
この図により本発明に係るガリレイ望遠鏡の前記実施例の対物レンズ２０は、レンズ面２２、２３、２５、２６、２８、２９（面番号１〜６）を有する３つのレンズ２１、２４、２７を含む。前記３つのレンズ２１、２４、２７のうち２つのレンズ、好ましくは両方のレンズ２１および２４が合成樹脂からなる。回折光学要素１５は前面レンズ２１の背面でレンズ面２３（面番号２）上にある。接眼レンズ３０はレンズ面３２および３３（面番号７および８）を有するレンズ３１からなる。
【００７４】
実施例２：物体間隔２５１ｍｍ
この実施例において、物体と前面レンズ２１との間で物体間隔２５１ｍｍのガリレイ拡大眼鏡が示されている。表２は、物体間隔２５１ｍｍの本発明に係るガリレイ望遠鏡の実施例の説明を含む。レンズ面２２、２３、２５、２６（表２の面番号１〜４）のデータは、特に回折光学要素１５ならびに非球面である回折要素１５を含み、物体間隔３５１ｍｍの実施例１で示したものと同じデータである。
【００７５】
【表２】
2009048195.tif 000008
【００７６】
実施例３：物体間隔５０１ｍｍ
この実施例において、物体と前面レンズ２１との間で物体間隔５０１ｍｍのガリレイ拡大眼鏡が示されている。表３は物体間隔５０１ｍｍの本発明に係るガリレイ望遠鏡の実施例の説明を含む。レンズ面２２、２３、２５、２６（表３の面番号１〜４）のデータは、特に回折光学要素１５ならびに非球面である回折要素１５を含み、物体間隔３５１ｍｍの実施例１で示したものと同じデータである。
【００７７】
【表３】
2009048195.tif 000009
【００７８】
本発明に係る拡大眼鏡のもう１つの長所は、両方の合成樹脂レンズが全作業間隔に対して同じであることである（表１〜３参照）。
【図面の簡単な説明】
【００７９】
【図１】本発明による光学装置である。
【図２】回折光学要素のための一実施例である。
【図３】回折光学要素のためのその他の実施例の種々の構造である。
【符号の説明】
【００８０】
１０  光学装置（望遠鏡）
１１  光軸
１５  回折光学要素
２０  対物レンズ要素
２１  回折光学要素のための支持レンズ要素
２２  レンズ面（前面）
２３  回折光学要素のための支持面
２４  対物レンズ要素
２５  レンズ面
２６  レンズ面
２７  対物レンズ要素
２８  レンズ面
２９  レンズ面
３０  接眼要素
３１  接眼レンズ要素
３２  レンズ面
３３  レンズ面
ｄ  溝深さ
ｈ  溝幅
【図１】
2009048195.tif 000010
【図２】
2009048195.tif 000011
【図３】
2009048195.tif 000012